【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
化学式(2)に示す化合物の少なくとも１種を含有していることを特徴とする荷電制御剤。
【化１】
2007156456.tif 000001
式中、R12及びR22の少なくとも一方は脂肪族炭化水素基、芳香族環および複素環のいずれかであって、かつSO2R32基を置換基として有するものであり、R32はOH、ハロゲン原子、ONa、OKまたはOR42であり、R42は置換もしくは未置換の脂肪族炭化水素基、置換もしくは未置換の芳香族環、および置換もしくは未置換の複素環のいずれかであり、
SO2R32を置換基として有しないR12又はR22は、置換もしくは未置換の脂肪族炭化水素基、置換もしくは未置換の芳香族環および置換もしくは未置換の複素環のいずれかである。
【請求項２】
前記化学式(2)において、
R12及びR22の少なくとも一方は炭素数1から18のアルキル基、フェニル基およびナフチル基のいずれかであって、かつSO2R32基を置換基として有するものであり、R32はOH、ハロゲン原子、ONa、OKまたはOR42であり、R42は置換もしくは未置換の炭素数1から18のアルキル基、置換もしくは未置換のフェニル基および置換もしくは未置換のナフチル基のいずれかであり、
SO2R32を置換基として有しないR12又はR22は置換もしくは未置換の炭素数1から18のアルキル基、置換もしくは未置換のフェニル基および置換もしくは未置換のナフチル基のいずれかである請求項１に記載の荷電制御剤。
【請求項３】
前記化学式(2)において、R12及びR22の少なくとも一方は置換基としてハロゲン原子、炭素数1から20のアルキル基、アルコキシ基(OR、Rは炭素数1から20のアルキル基、フェニル基またはナフチル基)、水酸基、アミノ基、ニトロ基、カルボン酸またはカルボン酸塩(塩はNaまたはK)、アセトアミド基、NHPh基、CF3基、C2F5基、およびC3F7基のいずれかを有する請求項１または２に記載の荷電制御剤。
【請求項４】
前記化学式(2)に示す化合物として、以下の＜1＞および＜2＞の条件の少なくとも１つを満たす化合物の少なくとも１種を含有してなる請求項１に記載の荷電制御剤。
＜1＞
前記化学式(2)が化学式(21)で示される構造であって、以下の1）から4）の条件を満たす。
【化２】
2007156456.tif 000002
1)R12は、置換もしくは未置換の炭素数1から18のアルキル基、置換もしくは未置換のフェニル基、および置換もしくは未置換のナフチル基、のいずれかである。
2)R221は、置換もしくは未置換の脂肪族炭化水素基、および置換もしくは未置換の芳香族環、のいずれかである。
3)R32は、OH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
＜2＞
前記化学式(2)が化学式(22)で示される構造であって、以下の1）から4）の条件を満たす。
【化３】
2007156456.tif 000003
1)R121は、置換もしくは未置換の脂肪族炭化水素基、および置換もしくは未置換の芳香族環、のいずれかである。
2)R22は、置換もしくは未置換の炭素数1から18のアルキル基、置換もしくは未置換のフェニル基、および置換もしくは未置換のナフチル基、のいずれかである。
3)R32は、OH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
【請求項５】
前記化学式(2)に示す化合物として、以下の＜3＞および＜4＞の条件の少なくとも１つを満たす化合物の少なくとも１種を含有してなる請求項１に記載の荷電制御剤。
＜3＞
前記化学式(2)が化学式(23)で示される構造であって、以下の1）から4）の条件を満たす。
【化４】
2007156456.tif 000004
1)R12は、置換もしくは未置換の脂肪族炭化水素基、および置換もしくは未置換の芳香族環、のいずれかである。
2)R221は、置換もしくは未置換の炭素数1から18のアルキル基、置換もしくは未置換のフェニル基、および置換もしくは未置換のナフチル基、のいずれかである。
3)R32は、OH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
＜4＞
前記化学式(2)が化学式(24)で示される構造であって、以下の1）から4）の条件を満たす。
【化５】
2007156456.tif 000005
1)R121は、置換もしくは未置換の炭素数1から18のアルキル基、置換もしくは未置換のフェニル基、および置換もしくは未置換のナフチル基、のいずれかである。
2)R22は、置換もしくは未置換の脂肪族炭化水素基、および置換もしくは未置換の芳香族環、のいずれかである。
3)R32は、OH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
【請求項６】
前記化学式(2)に示す化合物として、以下の＜5＞および＜6＞の条件の少なくとも１つを満たす化合物の少なくとも１種を含有してなる請求項１に記載の荷電制御剤。
＜5＞
前記化学式(2)が化学式(25)で示される構造であって、以下の1）から4）の条件を満たす。
【化６】
2007156456.tif 000006
1)R12は、未置換の、炭素数1-18のアルキル基、フェニル基、およびナフチル基、ならびに、置換基としてハロゲン原子、炭素数1から20のアルキル基、アルコキシ基(OR、Rは炭素数1から20のアルキル基、フェニル基またはナフチル基)、水酸基、アミノ基、ニトロ基、カルボン酸またはカルボン酸塩(塩はNaまたはK)、アセトアミド基、NHPh基、CF3基、C2F5基、およびC3F7基のいずれかを有する、炭素数1から18のアルキル基、フェニル基、およびナフチル基、のいずれかである。
2)R221は、置換もしくは未置換の炭素数1から18の脂肪族炭化水素基、置換もしくは未置換のフェニル基、および置換もしくは未置換のナフチル基、のいずれかである。
3)R32は、OH、ハロゲン原子、ONa、OKまたはOR42である。
4)R42は、置換もしくは未置換の炭素数1から18の脂肪族炭化水素基、置換もしくは未置換のフェニル基、および置換もしくは未置換のナフチル基、のいずれかである。
＜6＞
前記化学式(2)が化学式(26)で示される構造であって、以下の1）から4）の条件を満たす。
【化７】
2007156456.tif 000007
1)R121は、置換もしくは未置換の炭素数1から18のアルキル基、置換もしくは未置換のフェニル基、および置換もしくは未置換のナフチル基、のいずれかである。
2)R22は、未置換の、炭素数1から18のアルキル基、フェニル基、およびナフチル基、ならびに、置換基としてハロゲン原子、炭素数1から20のアルキル基、アルコキシ基(OR、Rは炭素数1から20のアルキル基、フェニル基またはナフチル基)、水酸基、アミノ基、ニトロ基、カルボン酸またはカルボン酸塩(塩はNaまたはK)、アセトアミド基、NHPh基、CF3基、C2F5基、およびC3F7基のいずれかを有する、炭素数1から18のアルキル基、フェニル基、およびナフチル基、のいずれかである。
3)R32は、OH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
【請求項７】
前記化学式(2)に示す化合物として、以下の＜7＞および＜8＞の条件の少なくとも１つを満たす化合物の少なくとも１種を含有してなる請求項１に記載の荷電制御剤。
＜7＞
前記化学式(2)が化学式(27)で示される構造であって、以下の1）から4）の条件を満たす。
【化８】
2007156456.tif 000008
1)R12は、置換もしくは未置換の炭素数1から18のアルキル基、置換もしくは未置換のフェニル基、および置換もしくは未置換のナフチル基、のいずれかである。
2)R221は、未置換の、炭素数1から18のアルキル基、フェニル基、およびナフチル基、ならびに、置換基としてハロゲン原子、炭素数1から20のアルキル基、アルコキシ基(OR、Rは炭素数1から20のアルキル基、フェニル基またはナフチル基)、水酸基、アミノ基、ニトロ基、カルボン酸またはカルボン酸塩(塩はNaまたはK)、アセトアミド基、NHPh基、CF3基、C2F5基、およびC3F7基のいずれかを有する、炭素数1から18のアルキル基、フェニル基、およびナフチル基、のいずれかである。
3)R32はOH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
＜8＞
前記化学式(2)が化学式(28)で示される構造であって、以下の1）から4）の条件を満たす。
【化９】
2007156456.tif 000009
1)R121は、未置換の、炭素数1から18のアルキル基、フェニル基、およびナフチル基、ならびに、置換基としてハロゲン原子、炭素数1から20のアルキル基、アルコキシ基(OR、Rは炭素数1から20のアルキル基またはフェニル基またはナフチル基)、水酸基、アミノ基、ニトロ基、カルボン酸またはカルボン酸塩(塩はNaまたはK)、アセトアミド基、NHPh基、CF3基、C2F5基、およびC3F7基のいずれかを有する、炭素数1から18のアルキル基、フェニル基、およびナフチル基、のいずれかである。
2)R22は置換もしくは未置換の炭素数1から18のアルキル基、置換もしくは未置換のフェニル基、および置換もしくは未置換のナフチル基、のいずれかである。
3)R32は、OH、ハロゲン原子、ONa、OKまたはOR42である。
4)R42は、置換もしくは未置換の炭素数1から18のアルキル基、置換もしくは未置換のフェニル基、および置換もしくは未置換のナフチル基、のいずれかである。
【請求項８】
バインダー樹脂と、着色剤と、請求項１から７のいずれか一項に記載の荷電制御剤を含有してなることを特徴とする静電荷像現像トナー。